(57)【要約】【課題】暖房温度が相違する２つの放熱器をそれぞれ個別に単独運転を可能とした温水暖房装置を提供する。【解決手段】循環量調節手段７からの高温熱媒体と、高温用放熱器２から暖房戻り配管５へ戻る戻り熱媒体の一部或いは、中温放熱器３から暖房戻り配管５へ戻る戻り熱媒体の一部或いは、高温用放熱器２から暖房戻り配管５へ戻る戻り熱媒体と中温放熱器３から暖房戻り配管５へ戻る戻り熱媒体の混合熱媒体の一部を混合して、所定の中温熱媒体として中温用放熱器３へ供給する中温温調弁１０が設けられ、更に暖房用循環ポンプ１５は中温戻り配管１３途中で高温戻り配管１２の接続部分と、中温戻り配管１３から中温温調弁１０へ向かう温調配管１４の分岐部分との間に備えられたので、良好な暖房が得られるものである。【選択図】  図１
2011117657.tif 000002
【特許請求の範囲】
【請求項１】
熱源器からの熱媒体を、暖房往き配管から高温用放熱器と中温用放熱器に供給して各暖房を行った後、温度低下した熱媒体を暖房戻り配管を介して再び熱源器に戻す暖房回路を備えたものに於いて、前記暖房往き配管には、高温用放熱器への熱媒体を供給する高温往き配管と、第１中温往き配管とが接続して、高温用放熱器への熱媒体の循環量と中温用放熱器への熱媒体の循環量とを調節する循環量調節手段が備えられ、更に第１中温往き配管と中温用放熱器に接続した第２中温往き配管との間には、循環量調節手段からの高温熱媒体と、高温用放熱器から暖房戻り配管へ戻る戻り熱媒体の一部或いは、中温放熱器から暖房戻り配管へ戻る戻り熱媒体の一部或いは、高温用放熱器から暖房戻り配管へ戻る戻り熱媒体と中温放熱器から暖房戻り配管へ戻る戻り熱媒体の混合熱媒体の一部を混合して、所定の中温熱媒体として中温用放熱器へ供給する中温温調弁が設けられ、更に暖房用循環ポンプは中温戻り配管途中で高温戻り配管の接続部分と、中温戻り配管から中温温調弁へ向かう温調配管の分岐部分との間に備えられた事を特徴とする温水暖房装置。
【発明の詳細な説明】
【技術分野】
【０００１】
この発明は、温水と不凍液等の熱媒体とを熱交換して暖房を行う温水暖房装置に関するものである。
【背景技術】
【０００２】
従来この種の温水暖房装置では、同じ放熱器を接続しても、送風ファンを備えたファンコンベクタと、送風ファンなしのパネルコンベクタ或いは床暖房とでは、必要とする熱媒体温度が相違し、ファンコンベクタでは比較的高温の熱媒体で強力に暖房するものであり、又パネルコンベクタや床暖房では中温程度の熱媒体で十分であり、各部屋毎に種類の異なるコンベクタを設置すると２温度の熱媒体が必要となり、制御が複雑になるものであった。（例えば、特許文献１参照。）
【先行技術文献】
【特許文献】
【０００３】
【特許文献１】特許第４００８３９６号公報
【発明の概要】
【発明が解決しようとする課題】
【０００４】
ところでこの従来のものでは、ファンコンベクタによる暖房が不用の場合には、送風ファンの駆動を停止するのみであるために、熱媒体の循環は継続されるので自然放熱による暖房は継続されてしまい、完全に熱媒体の循環を止めるには閉止弁や熱動弁等の特別な閉止部品が必要となるものであり、良好に制御することは出来ないものであった。
【課題を解決するための手段】
【０００５】
この発明は上記課題を解決するために、特にその構成を、熱源器からの熱媒体を、暖房往き配管から高温用放熱器と中温用放熱器に供給して各暖房を行った後、温度低下した熱媒体を暖房戻り配管を介して再び熱源器に戻す暖房回路を備えたものに於いて、前記暖房往き配管には、高温用放熱器への熱媒体を供給する高温往き配管と、第１中温往き配管とが接続して、高温用放熱器への熱媒体の循環量と中温用放熱器への熱媒体の循環量とを調節する循環量調節手段が備えられ、更に第１中温往き配管と中温用放熱器に接続した第２中温往き配管との間には、循環量調節手段からの高温熱媒体と、高温用放熱器から暖房戻り配管へ戻る戻り熱媒体の一部或いは、中温放熱器から暖房戻り配管へ戻る戻り熱媒体の一部或いは、高温用放熱器から暖房戻り配管へ戻る戻り熱媒体と中温放熱器から暖房戻り配管へ戻る戻り熱媒体の混合熱媒体の一部を混合して、所定の中温熱媒体として中温用放熱器へ供給する中温温調弁が設けられ、更に暖房用循環ポンプは中温戻り配管途中で高温戻り配管の接続部分と、中温戻り配管から中温温調弁へ向かう温調配管の分岐部分との間に備えられたものである。
【発明の効果】
【０００６】
この発明によれば、循環量調節手段によって高温用放熱器と中温用放熱器への循環量を調節することで、高温用放熱器へは熱源器で加熱された高温の熱媒体をそのまま供給して暖房を行い、中温用放熱器へは循環量調節手段で分配された高温の熱媒体に、高温用放熱器からの戻り熱媒体と、中温用放熱器からの戻り熱媒体とを混合して低温の熱媒体とした後、中温温調弁で前記の高温の熱媒体と混合して所定温度の中温水として供給し中温の暖房を行うものであり、更に循環量調節手段によって中温側の循環量を０即ち閉塞すれば、高温用放熱器のみの暖房となり、又循環量調節手段の高温側の循環量を０即ち閉塞し、中温用放熱器への往きと戻りの熱媒体とを中温温調弁で混合して往き温度を所定温度に調節したり、或いは熱源器からの熱媒体温度を最初から中温の所定温度に制御しておけば、中温の暖房が単独で行われるものであり、極めて簡単にそれぞれの運転の切替が行われ、高温暖房及び中温暖房共に完全に運転停止させられ、使用勝手も極めて良いものである。
【図面の簡単な説明】
【０００７】
【図１】この発明の一実施形態を示す温水暖房装置の概略構成図で、２つの放熱器が共にＯＮ状態を示す。
【図２】同概略構成図で高温用放熱器のみがＯＮ状態を示す。
【図３】同概略構成図で中温用放熱器のみがＯＮ状態を示す。
【図４】他の実施形態で中温用放熱器のみがＯＮ状態を示す。
【発明を実施するための形態】
【０００８】
次にこの発明の一実施形態の温水暖房装置を図面に基づき説明する。
１は暖房用ボイラーや貯湯タンク内の温水と不凍液等の熱媒体とを熱交換させる暖房用熱交換器から構成される熱源器で、加熱された熱媒体をファンコンベクタから成る高温用放熱器２や、パネルコンベクタから成る中温用放熱器３に供給する暖房往き配管４と、前記高温用放熱器２や中温用放熱器３を循環して放熱し、温度低下した熱媒体が熱源器１に戻る暖房戻り配管５とが接続され暖房回路６を構成している。
【０００９】
７は前記暖房往き配管４の他端と、高温用放熱器２に熱媒体を供給する高温往き配管８と、中温用放熱器３に熱媒体を供給する第１中温往き配管９とが接続した電動三方弁から成る循環量調節手段で、高温用放熱器２と中温用放熱器３とがＯＮの場合は、暖房往き配管４からの熱媒体を高温往き配管８と第１中温往き配管９に均等に分配されるように循環量調節手段７が弁開度を調節して、高温用放熱器２と中温用放熱器３に高温の熱媒体を供給するものであり、又高温用放熱器２がＯＮで中温用放熱器３がＯＦＦの場合には、暖房往き配管４からの熱媒体が全て高温往き配管８に流通するように、循環量調節手段７は高温往き配管８側を全開とし、第１中温往き配管９側の流量が０になるように閉塞し、高温用放熱器２のみに高温の熱媒体を供給するものであり、更に高温用放熱器２がＯＦＦで中温用放熱器３がＯＮの場合には、暖房往き配管４からの熱媒体が全て第１中温往き配管９に流通するように、循環量調節手段７は第１中温往き配管９を全開とし、高温往き配管８側の流量が０になるように閉塞し、中温用放熱器３のみに高温の熱媒体を供給するものである。
【００１０】
１０は第１中温往き配管９が接続されると共に、中温用放熱器３に接続した第２中温往き配管１１が接続され、更に高温用放熱器２からの高温戻り配管１２が途中に連通し、暖房戻り配管５に接続した中温用放熱器３の中温戻り配管１３から分岐した温調配管１４が接続した中温温調弁で、第１中温往き配管９からの７０℃の熱媒体に、高温戻り配管１２からの５０℃の戻り熱媒体と中温戻り配管１３からの４０℃の戻り熱媒体とが先ず中温戻り配管１３内で混合した４５℃の熱媒体が更に混合し、所定温度６０℃の熱媒体となって中温用放熱器３へ供給されて暖房を行うものであり、又高温用放熱器２がＯＦＦの場合には、中温戻り配管１３からの４０℃の戻り熱媒体と、第１中温往き配管９からの７０℃の熱媒体とを、中温温調弁１０で混合して６０℃の熱媒体として中温用放熱器３に供給するものである。
【００１１】
１５は前記中温戻り配管１３途中で高温戻り配管１２の接続部分と、該中温戻り配管１３から温調配管１４が分岐した部分との間に備えられた暖房用循環ポンプで、高温用放熱器２或いは中温用放熱器３のどちらかがＯＮの場合には駆動し、熱源器１で所定温度の７０℃に昇温された熱媒体を、暖房往き配管４から循環量調節手段７を介して、高温用放熱器２及び中温用放熱器３に供給して暖房を行わせた後、暖房戻り配管５から熱源器１に戻されて順次この循環を繰り返すようにしたものである。
【００１２】
次にこの一実施形態の作動について説明する。
今高温用放熱器２及び中温用放熱器３をＯＮすれば、暖房用循環ポンプ１５が駆動開始し、熱源器１から所定温度７０℃の熱媒体を暖房往き配管４に流通させ、そして循環量調節手段７では、暖房往き配管４からの熱媒体を高温往き配管８と第１中温往き配管９に均等に分配されるように弁開度を調節されて、高温往き配管８に供給された熱媒体は、高温用放熱器２で放熱することで強力に室内の暖房を行う。
【００１３】
更に高温用放熱器２で放熱し５０℃に温度低下した熱媒体は、高温戻り配管１２を通り中温戻り配管１３で、中温用放熱器３で温度低下した４０℃の熱媒体と混合して４５℃の熱媒体となって暖房用循環ポンプ１５を通過し、一部はそのまま暖房戻り配管５から熱源器１の戻るが、他の一部は温調配管１４から中温温調弁１０に流通し、この中温温調弁１０で第１中温往き配管９から供給される７０℃の熱媒体と混合し、６０℃の熱媒体となって第２中温往き配管１１から中温用放熱器３に供給され、ここで放熱することで緩やかに室内の暖房を行い、そして温度低下した４０℃の熱媒体は、上記した中温戻り配管１３で高温戻り配管１２からの４５℃の熱媒体と混合され、順次これを繰り返して２温度の暖房が行われるものである。
【００１４】
又高温用放熱器２のみがＯＮされ中温用放熱器３はＯＦＦの場合は、循環量調節手段７が高温往き配管８側を全開とし、第１中温往き配管９側の流量が０になるように閉塞することで、暖房用循環ポンプ１５の駆動により暖房往き配管４から循環量調節手段７に流入した７０℃の熱媒体は、全て高温往き配管８側に流通して高温用放熱器２に供給され、高温用放熱器２のみの単独運転が極めて簡単に実現するものであり、高温用放熱器２で放熱し温度低下した５０℃の熱媒体は、高温戻り配管１２から中温戻り配管１３を通り暖房戻り配管５から熱源器１に戻るものであり、又この時中温温調弁１０は温調配管１４側を閉弁状態とするものである。
【００１５】
更に高温用放熱器２がＯＦＦで中温用放熱器３がＯＮの場合は、循環量調節手段７が第１中温往き配管９側を全開とし、高温往き配管８側の流量が０になるように閉塞することで、暖房用循環ポンプ１５の駆動により暖房往き配管４から循環量調節手段７に流入した７０℃の熱媒体は、全て第１中温往き配管９に流通して中温温調弁１０で、中温戻り配管１３と温調配管１４を介して流通する一部の放熱後の温度低下した４０℃の熱媒体と混合し、６０℃の熱媒体となって中温用放熱器３へ供給され、中温放熱器３のみの単独運転が極めて簡単に実現するものであり、そして中温放熱器３で放熱し温度低下した４０℃の熱媒体は、上記した通り一部は中温温調弁１０に供給され、他は暖房戻り配管５から熱源器１に戻されるものである。
【００１６】
又図４に示す他の実施形態のように、中温用放熱器３の単独運転時に於いて、循環量調節手段７により高温往き配管８側を閉塞すると共に、中温温調弁１０の温調配管１４側を閉塞させた後に、熱源器１から６０℃に加熱された熱媒体を暖房用循環ポンプ１５を駆動させることで、暖房往き配管４から循環量調節手段７を介して、第１中温往き配管９及び中温温調弁１０、第２中温往き配管１１を通り、中温用放熱器３へ供給され、ここで放熱した室内の暖房を行った後、温度低下した熱媒体は中温戻り配管１３から暖房戻り配管５を通り熱源器１に戻され、順次この循環を繰り返して暖房が継続されるものである。
【００１７】
又暖房用循環ポンプ１５を中温戻り配管１３途中で高温戻り配管１２の接続部分と、該中温戻り配管１３から温調配管１４が分岐した部分との間に備えたことで、温調配管１４を介して温度低下した熱媒体を中温温調弁１０に供給することを可能とすると共に、高温用放熱器２で温度低下した熱媒体の再利用も可能としたものである。
【００１８】
このように循環量調節手段７を備えたことにより、２つの異なる温度を暖房に供給出来、高温側と中温側の放熱能力、仕様の異なる暖房が個別に運転出来、又一方の放熱器使用時にもう一方に温水が流れることがないので放熱ロスを防止出来る。
【符号の説明】
【００１９】
１  熱源器
２  高温用放熱器
３  中温用放熱器
４  暖房往き配管
５  暖房戻り配管
７  循環量調節手段
８  高温往き配管
９  第１中温往き配管
１０  中温温調弁
１１  第２中温往き配管
１２  高温戻り配管
１３  中温戻り配管
１４  温調配管
１５  暖房用循環ポンプ
【図１】
2011117657.tif 000003
【図２】
2011117657.tif 000004
【図３】
2011117657.tif 000005
【図４】
2011117657.tif 000006